(57)【要約】【課題】アプリケーション機能の動作に基づいて当該アプリケーション機能に適した形状に変形する携帯端末を提供する。【解決手段】携帯端末１は、第１筐体１０および第２筐体２０が可動に連結される携帯端末１であって、ユーザの操作入力を受け付ける操作入力部１２と、操作入力に基づいて携帯端末１が有する複数のアプリケーション機能のうちいずれかを選択して、選択されたアプリケーション機能を動作させるアプリケーション制御部１５１と、アプリケーション機能の動作に基づいて第１筐体１０および第２筐体２０の相対位置を変位させる変位制御部１５２と、を備える。【選択図】図１
2010093737.tif 000002
【特許請求の範囲】
【請求項１】
複数の筐体が可動に連結される携帯端末であって、
ユーザの操作入力を受け付ける操作入力部と、
前記操作入力に基づいて前記携帯端末が有する複数のアプリケーション機能のうちいずれかを選択して、選択された前記アプリケーション機能を動作させるアプリケーション制御部と、
前記アプリケーション機能の動作に基づいて複数の前記筐体の相対位置を変位させる変位制御部と、
を備えることを特徴とする携帯端末。
【請求項２】
請求項１に記載の携帯端末において、
複数の前記筐体は、少なくとも一つの回転軸を中心に回動自在なヒンジ部を介して連結され、
前記変位制御部は、前記回転軸を中心として前記ヒンジ部を回転させることによって複数の前記筐体の相対位置を変位させることを特徴とする携帯端末。
【請求項３】
請求項２に記載の携帯端末において、
前記アプリケーション機能の動作と前記ヒンジ部の回転角度とが対応付けられて格納されるデータベース部を備え、
前記変位制御部は、動作させた前記アプリケーション機能に対応する前記ヒンジ部の回転角度を前記データベース部から取得して、取得した前記ヒンジ部の回転角度に従って前記ヒンジ部を回転させることを特徴とする携帯端末。
【請求項４】
請求項３に記載の携帯端末において、
前記ユーザが前記アプリケーション機能の動作に対応する前記ヒンジ部の回転角度をそれぞれ定めて、前記データベース部に格納させることを特徴とする携帯端末。
【請求項５】
請求項２乃至４いずれかに記載の携帯端末において、
前記ヒンジ部の回転角度が減少する方向に前記ヒンジ部が回転して、前記ヒンジ部の回転角度が所定値に達したとき、前記変位制御部は前記ユーザに対して前記ヒンジ部の回転角度が所定値を下回ることを許可するか否かを提示し、
前記ユーザが許可したとき前記変位制御部は前記ヒンジ部をさらに回転させることを特徴とする携帯端末。
【請求項６】
請求項１乃至５いずれかに記載の携帯端末において、
外部装置と接続するコネクタ部を備え、
前記コネクタ部を介して前記携帯端末と前記外部装置とが接続したとき、または前記コネクタ部を介して接続された前記携帯端末と前記外部装置とが分離したとき、前記変位制御部は複数の前記筐体の相対位置を変位させることを特徴とする携帯端末。
【請求項７】
複数の筐体が可動に連結される携帯端末の制御方法であって、
ユーザの操作入力を受け付ける操作入力ステップと、
前記操作入力に基づいて前記携帯端末が有する複数のアプリケーション機能のうちいずれかを選択して、選択された前記アプリケーション機能を動作させるアプリケーション制御ステップと、
前記アプリケーション機能の動作に基づいて複数の前記筐体の相対位置を変位させる第１変位制御ステップと、
を備えることを特徴とする携帯端末の制御方法。
【請求項８】
請求項７に記載の携帯端末の制御方法において、
複数の前記筐体は、少なくとも一つの回転軸を中心に回動自在なヒンジ部を介して連結され、
前記第１変位制御ステップは、前記回転軸を中心として前記ヒンジ部を回転させることによって複数の前記筐体の相対位置を変位させることを特徴とする携帯端末の制御方法。
【請求項９】
請求項８に記載の携帯端末の制御方法において、
前記ヒンジ部の回転角度が減少する方向に前記ヒンジ部が回転して、前記ヒンジ部の回転角度が所定値に達したとき、前記ユーザに対して前記ヒンジ部の回転角度が所定値を下回ることを許可するか否かを提示するユーザ確認ステップと、
前記ユーザが許可したとき前記ヒンジ部をさらに回転させる第２変位制御ステップと、
を備えることを特徴とする携帯端末の制御方法。
【請求項１０】
複数の筐体が可動に連結される携帯端末に実行させるプログラムであって、
ユーザの操作入力を受け付ける操作入力処理と、
前記操作入力に基づいて前記携帯端末が有する複数のアプリケーション機能のうちいずれかを選択して、選択された前記アプリケーション機能を動作させるアプリケーション制御処理と、
前記アプリケーション機能の動作に基づいて複数の前記筐体の相対位置を変位させる変位制御処理と、
を携帯端末に実行させることを特徴とするプログラム。
【発明の詳細な説明】
【技術分野】
【０００１】
本発明は携帯端末、携帯端末の制御方法およびプログラムに関する。
【背景技術】
【０００２】
エレクトロニクス技術の進歩により、携帯電話機に代表される携帯端末は、小型化および多機能化が図られてきた。現在の携帯電話機は通話機能に加えて、電子メール機能、インターネット機能、アドレス帳機能、スケジュール管理機能、音楽再生機能、カメラ機能およびテレビ機能等、多様な機能を有するものが多い。
【０００３】
一方、携帯電話機は折り畳み式やスライド式等、変形しうるものが多い。以前は携帯電話機を収納する容易さを向上したり操作入力を必要としないときはキーパッドを隠して誤入力を防いだりすることに主眼を置いていたが、近年においては携帯電話機の用途に応じて変形しうるものも増えてきた。たとえば、カメラ機能による撮影時には表示画面を外向きにして折り畳んだり、テレビ機能によるテレビ視聴時には表示画面を横向きにして横長の表示画面にしたりすることができる。
【０００４】
この種の技術として、特許文献１（特開２００４−１７３２３３号公報）には次のように記載されている。折り畳み式携帯電話機において着呼時またはメッセージ受信時に連結部の駆動装置を制御して、折り畳み式携帯電話機の開閉を行う。これによって、ユーザに対して着呼またはメッセージ受信を報知するときに、連結部を駆動して携帯電話機を開閉することができる。
【０００５】
また、特許文献２（特許第４０２９９０２号公報）には次のように記載されている。折り畳み式携帯電話機において着呼時またはメッセージ受信時に、筐体の載置状態に関する情報と発信者情報とに基づいて連結部の駆動装置を制御して、折り畳み式携帯電話機の開閉を行う。これによって、たとえば電話をつなぎたくない発信者からの着呼時には携帯電話機を開かない等、発信者に応じて連結部を駆動して携帯電話機を開閉することができる。
【特許文献１】特開２００４−１７３２３３号公報
【特許文献２】特許第４０２９９０２号公報
【発明の開示】
【発明が解決しようとする課題】
【０００６】
しかしながら上記技術は、以下の点で改善の余地を有していた。着呼またはメッセージ受信といった受動的なイベントに伴う開閉動作であって、自発的なユーザの操作が必要なイベント、たとえばカメラ撮影やテレビの視聴等に対して動作するものではない。自発的なユーザの操作が必要なアプリケーション機能を有する携帯端末において、それぞれのアプリケーション機能を動作させるたびにユーザの手によって異なる形状に変形させることは繁雑な作業であり、ユーザの利便性を考慮すると、上記技術は改善する余地が残されていた。
【０００７】
本発明は上記事情に鑑みてなされたものであり、その目的とするところは、アプリケーション機能の動作に基づいて当該アプリケーション機能に適した形状に変形する携帯端末を提供することにある。
【課題を解決するための手段】
【０００８】
本発明によれば、複数の筐体が可動に連結される携帯端末であって、ユーザの操作入力を受け付ける操作入力部と、前記操作入力に基づいて前記携帯端末が有する複数のアプリケーション機能のうちいずれかを選択して、選択された前記アプリケーション機能を動作させるアプリケーション制御部と、前記アプリケーション機能の動作に基づいて複数の前記筐体の相対位置を変位させる変位制御部と、を備えることを特徴とする携帯端末が提供される。
【０００９】
また、本発明によれば、複数の筐体が可動に連結される携帯端末の制御方法であって、ユーザの操作入力を受け付ける操作入力ステップと、前記操作入力に基づいて前記携帯端末が有する複数のアプリケーション機能のうちいずれかを選択して、選択された前記アプリケーション機能を動作させるアプリケーション制御ステップと、前記アプリケーション機能の動作に基づいて複数の前記筐体の相対位置を変位させる第１変位制御ステップと、を備えることを特徴とする携帯端末の制御方法が提供される。
【００１０】
さらに、本発明によれば複数の筐体が可動に連結される携帯端末に実行させるプログラムであって、ユーザの操作入力を受け付ける操作入力処理と、前記操作入力に基づいて前記携帯端末が有する複数のアプリケーション機能のうちいずれかを選択して、選択された前記アプリケーション機能を動作させるアプリケーション制御処理と、前記アプリケーション機能の動作に基づいて複数の前記筐体の相対位置を変位させる変位制御処理と、を携帯端末に実行させることを特徴とするプログラムが提供される。
【発明の効果】
【００１１】
本発明によれば、複数の筐体が可動に連結される携帯端末において、操作入力部にて受け付けたユーザの操作入力によって携帯端末が有するアプリケーション機能のうちいずれかを動作させるとともに、当該アプリケーション機能の動作に基づいて複数の筐体の相対位置を変位させることができる。
【００１２】
本発明によれば、アプリケーション機能の動作に基づいて当該アプリケーション機能に適した形状に変形する携帯端末が提供される。
【発明を実施するための最良の形態】
【００１３】
以下、本発明の実施の形態について、図面を用いて説明する。尚、すべての図面において、同様な構成要素には同様の符号を付し、適宜説明を省略する。
【００１４】
図１は、本発明の実施の形態に係る携帯端末の構成図である。第１筐体１０および第２筐体２０（複数の筐体）が可動に連結される携帯端末１であって、携帯端末１は、ユーザの操作入力を受け付ける操作入力部１２と、操作入力に基づいて携帯端末１が有する複数のアプリケーション機能（通話機能、電子メール機能、音楽再生機能、カメラ機能およびテレビ機能）のうちいずれかを選択して、選択されたアプリケーション機能を動作させるアプリケーション制御部１５１と、アプリケーション機能の動作に基づいて第１筐体１０および第２筐体２０（複数の筐体）の相対位置を変位させる変位制御部１５２と、を備えることができる。
【００１５】
ここで、第１筐体１０および第２筐体２０（複数の筐体）は、少なくとも一つの回転軸を中心に回動自在なヒンジ部３０を介して連結され、変位制御部１５２は、回転軸を中心としてヒンジ部３０を回転させることによって第１筐体１０および第２筐体２０（複数の筐体）の相対位置を変位させてもよい。
【００１６】
なお、アプリケーション制御部１５１および変位制御部１５２は、制御部１５に含まれてもよい。他にも、制御部１５は、通話処理部１５３、メール処理部１５４、音声処理部１５５、映像処理部１５６および画像処理部１５７を含んでもよい。
【００１７】
また、制御部１５は、第１筐体１０に備えられてもよい。他にも第１筐体１０は、記憶部１１、コネクタ部１３、マイク１４、放送受信部１６、放送受信アンテナ１６１、無線通信部１７、無線通信アンテナ１７１、モータ駆動回路１８、モータ１８１およびアウトカメラ１９等を備えてもよい。さらに、第２筐体２０は、スピーカ２１、レシーバ２２、表示部２３およびインカメラ２４を備えてもよい。ここに列挙した構成要素に関する説明は後述する。
【００１８】
通話処理部１５３は、操作入力部１２にて受け付けた電話番号に基づいて発呼してもよい。また、通話処理部１５３は、マイク１４から入力された音声や操作入力部１２から受け付けた電話番号等をデジタル信号に変換して無線通信部１７に出力してもよい。さらに、通話処理部１５３は、無線通信部１７に当該デジタル信号に基づいて搬送波を変調させて、無線通信アンテナ１７１を介して変調させた搬送波を送信させてもよい。さらに、通話処理部１５３は、無線通信アンテナ１７１を介して受信した搬送波を無線通信部１７に復調させてデジタル信号を得てもよい。さらに、通話処理部１５３は、復調して得られたデジタル信号から当該デジタル信号を発信した発信者の情報（電話番号等）や音声信号を得てもよい。さらに、通話処理部１５３は、得られた音声信号をレシーバ２２に音声出力させてもよく、得られた発信者の情報を表示部２３に表示させてもよい。以上のような処理を行うことによって、携帯端末１は通話機能を有することもできる。
【００１９】
メール処理部１５４は、無線通信部１７が無線通信アンテナ１７１を介して接続可能な通信ネットワーク（図示せず）に接続されているメールサーバ（図示せず）から無線通信部１７に電子メールを受信させてもよい。また、メール処理部１５４は、受信した電子メールを記憶部１１に格納してもよく、受信した電子メールを表示部２３に表示してもよい。さらに、メール処理部１５４は、電子メールに関する操作画面を表示部２３に表示させてもよく、操作入力部１２にて受け付けたユーザの操作入力に基づいて電子メールを作成してもよい。さらに、メール処理部１５４は、作成した電子メールを無線通信部１７に送信させてもよく、作成済みの電子メールや作成中の電子メールを記憶部１１に格納してもよい。以上のような処理を行うことによって、携帯端末１は電子メール機能を有することもできる。
【００２０】
音声処理部１５５は、記憶部１１に格納されている音楽データやコネクタ部１３を介して接続されている外部記憶装置（図示せず）に格納されている音楽データを取得して、取得した音楽データに基づいて音声信号を生成して、生成した音声信号をスピーカ２１に出力してもよい。スピーカ２１は入力した音声信号を音声に変換して出力してもよい。また、音声処理部１５５は、取得した当該音楽データから楽曲情報を抽出して表示部２３に表示してもよい。以上のような処理を行うことによって、携帯端末１は音楽再生機能を有することもできる。
【００２１】
放送受信部１６は、放送受信アンテナ１６１を介して受信した放送信号を復号して映像信号および音声信号を得る。映像処理部１５６は当該映像信号を取得して再生処理し、表示部２３に当該映像信号に基づいた映像を表示させてもよい。また、音声処理部１５５は当該音声信号を取得してスピーカ２１に音声出力させてもよい。以上のような処理を行うことによって、携帯端末１はテレビ機能を有することもできる。
【００２２】
画像処理部１５７は、アウトカメラ１９またはインカメラ２４に撮影させて取得した画像データを記憶部１１に格納してもよく、取得した画像データを表示部２３に表示してもよい。以上のような処理を行うことによって、携帯端末１はカメラ機能を有することもできる。
【００２３】
本実施形態の携帯端末１の構成の全部または一部は、ハードウェアで実現されてもよいし、あるいは、プロセッサに処理を実行させるプログラム（またはプログラムコード）で実現されてもよい。プロセッサは、不揮発性メモリなどの記録媒体からそのプログラムを読み出し実行する。本実施形態において、プロセッサは制御部１５に含まれてもよく、プログラムは記憶部１１に格納されてもよい。
【００２４】
携帯端末１に含まれる機能がプログラムで実現される場合、当該プログラムは、第１筐体１０および第２筐体２０（複数の筐体）が可動に連結される携帯端末１に実行させるプログラムであって、ユーザの操作入力を受け付ける操作入力処理と、操作入力に基づいて携帯端末１が有する複数のアプリケーション機能のうちいずれかを選択して、選択されたアプリケーション機能を動作させるアプリケーション制御処理と、アプリケーション機能の動作に基づいて第１筐体１０および第２筐体２０（複数の筐体）の相対位置を変位させる変位制御処理と、を携帯端末１に実行させてもよい。
【００２５】
また、制御部１５は、通話処理部１５３、メール処理部１５４、音声処理部１５５、映像処理部１５６および画像処理部１５７もそれぞれプロセッサに処理を実行させるプログラムで実現されてもよい。本実施形態において、プロセッサは制御部１５に含まれてもよく、プログラムは記憶部１１に格納されてもよいのは上述と同様である。
【００２６】
本実施形態の携帯端末１は、変位制御部１５２によって制御されるモータ駆動回路１８と、モータ駆動回路１８によって駆動されるモータ１８１を備え、モータ１８１の回転運動をヒンジ部３０に伝達することによってヒンジ部３０が回転する構成としてもよい。また、変位制御部１５２は、ヒンジ部３０の回転角度を監視してもよく、変位制御部１５２はヒンジ部３０を回転させる時点におけるヒンジ部３０の回転角度に基づいてモータ駆動回路１８を制御してもよい。
【００２７】
図２は、携帯端末１を開いた状態における正面図と背面図である。図２（Ａ）が正面図であり、図２（Ｂ）が背面図である。図２に示すとおり、カメラは正面側に設置されるインカメラ２４と、背面側に設置されるアウトカメラ１９との二つを備えてもよい。また、表示部２３も正面側に設置されるメイン表示部２３ａと、背面側に設置されるサブ表示部２３ｂとの二つを備えてもよい。
【００２８】
さらに、第１筐体１０の正面に配置される正面操作入力部１２ａは、数字キー、オンフックボタン、オフフックボタン、決定ボタンおよび十字キー等を含んでもよい。これらを用いてユーザは電話番号を入力したり、発呼させたり、着呼した通話を開始させたり、電子メールを編集したり、表示部２３に表示される操作画面上にて選択したりすることもできる。
【００２９】
図３は、携帯端末１を開いた状態における斜視図である。図３に示すとおり、ヒンジ部３０は水平軸３１と垂直軸３２の二つの回転軸を有している。水平軸３１は、第１筐体１０と第２筐体２０の連結面に対して水平である。また、垂直軸３２は第１筐体１０と第２筐体２０の連結面に対して垂直である。
【００３０】
さらに、第１筐体１０の側面に配置される側面操作入力部１２ｂは、ユーザが押下することによって変位制御部１５２にヒンジ部３０を回転させることができる開閉スイッチ１２１を含んでもよい。さらに、側面操作入力部１２ｂは、音楽再生機能、テレビ機能およびカメラ機能等のアプリケーション機能を動作させるボタン、たとえば音楽再生開始ボタン、テレビ視聴開始ボタンおよびシャッターボタン等を備えてもよい。さらに、第１筐体１０の側面には、外部装置と接続することができるコネクタ部１３が配置されていもよい。
【００３１】
なお、水平軸３１を中心とするヒンジ部３０の回転において、携帯端末１が閉じた状態の回転角度を０°とする。また、垂直軸３２を中心とするヒンジ部３０の回転において、第１筐体１０の正面操作入力部１２ａが配置されている面と、第２筐体２０のメイン表示部２３ａが配置されている面とが同じ方向を向いているときを回転角度０°とする。
【００３２】
携帯端末１は、アプリケーション機能（通話機能、電子メール機能、音楽再生機能、カメラ機能およびテレビ機能）の動作とヒンジ部３０の回転角度とが対応付けられて格納されるデータベース部１１１を備え（図１）、変位制御部１５２は、動作させたアプリケーション機能に対応するヒンジ部３０の回転角度をデータベース部１１１から取得して、取得したヒンジ部３０の回転角度に従ってヒンジ部３０を回転させてもよい。図４にデータベース部１１１に格納されるテーブルの一例を示す。
【００３３】
たとえば、通話機能に対応するヒンジ部３０の回転角度は、水平軸３１を中心に１７０°、垂直軸３２を中心に０°としてもよい。通話機能は、マイク１４を口元に、レシーバ２２を耳元に近づける必要がある。本実施形態において、携帯端末１は１７０°程度開いた形状で人間の顔のラインにフィットするように設計され、この角度がヒンジ部３０の最大回転角度とされている。
【００３４】
ここで、操作入力部１２が受け付けた操作入力に基づいて通話機能を選択して、アプリケーション制御部１５１が通話処理部１５３等を制御して通話機能を動作させるとき、たとえば携帯端末１が発呼するとき、変位制御部１５２はデータベース部１１１から通話機能に対応するヒンジ部３０の回転角度を取得してもよい。さらに、変位制御部１５２は、データベース部１１１から取得したヒンジ部３０の回転角度に基づいてモータ駆動回路１８を制御し、モータ１８１を回転させてヒンジ部３０の回転角度が水平軸３１を中心に１７０°、垂直軸３２を中心に０°となるようにヒンジ部３０を回転させてもよい。
【００３５】
また、電子メール機能に対応するヒンジ部３０の回転角度は、水平軸３１を中心に１６０°、垂直軸３２を中心に０°としてもよい。本実施形態において、電子メール機能を利用するとき、メイン表示部２３ａに表示される操作画面を見ながら、正面操作入力部１２ａを用いて電子メールを編集するように設計されている。よって、携帯端末１は比較的開いた形状の方が、電子メールの編集には適している。
【００３６】
ここで、操作入力部１２が受け付けた操作入力に基づいて電子メール機能を選択して、アプリケーション制御部１５１がメール処理部１５４等を制御して電子メール機能を動作させるとき、たとえば電子メール編集画面をメイン表示部２３ａに表示させるとき、変位制御部１５２はデータベース部１１１から通話機能に対応するヒンジ部３０の回転角度を取得してもよい。さらに、変位制御部１５２は、取得したヒンジ部３０の回転角度に基づいてモータ駆動回路１８を制御し、モータ１８１を回転させてヒンジ部３０の回転角度が水平軸３１を中心に１６０°、垂直軸３２を中心に０°となるようにヒンジ部３０を回転させてもよい。
【００３７】
なお、図５のように携帯端末１がキーボード装置２（外部装置）と接続するコネクタ部１３を備え、キーボード装置２を操作入力部１２の代わりに用いる場合、コネクタ部１３を介して携帯端末１とキーボード装置２（外部装置）とが接続したとき、またはコネクタ部１３を介して接続された携帯端末１とキーボード装置（外部装置）２とが分離したとき、変位制御部１５２は第１筐体１０および第２筐体２０（複数の筐体）の相対位置を変位させてもよい。ここで、ヒンジ部３０の回転角度は、水平軸３１を中心に１１０°、垂直軸３２を中心に０°としてもよい。キーボード装置２を操作入力部１２の代わりに用いて電子メール機能を利用する場合、携帯端末１は本項にて記載した形状である方が扱い易いので、変位制御部１５２は本項にて記載した形状を優先してもよい。なお、図５においてキーボード装置２は携帯端末１と有線接続しているが、無線接続であってもよい。
【００３８】
さらに、音楽再生機能に対応するヒンジ部３０の回転角度は、水平軸３１を中心に０°、垂直軸３２を中心に０°としてもよい。すなわち、音楽再生機能においては、携帯端末１を閉じた形状で、サブ表示部２３ｂに表示される操作画面を見ながら、側面操作入力部１２ｂを用いて操作してもよい。こうすることによって、音楽再生機能を利用して音楽を聴くとき、ユーザは携帯端末１を持ち運びに適した形状（携帯端末１を閉じた形状）にて操作することもできる。
【００３９】
ここで、操作入力部１２が受け付けた操作入力に基づいて音楽再生機能を選択して、アプリケーション制御部１５１が音声処理部１５５等を制御して音楽再生機能を動作させるとき、たとえば音楽データの再生を開始したとき、変位制御部１５２はデータベース部１１１から音楽再生機能に対応するヒンジ部３０の回転角度を取得してもよい。さらに、変位制御部１５２は、取得したヒンジ部３０の回転角度に基づいてモータ駆動回路１８を制御し、モータ１８１を回転させてヒンジ部３０の回転角度が水平軸３１を中心に０°、垂直軸３２を中心に０°となるようにヒンジ部３０を回転させてもよい。
【００４０】
さらに、テレビ機能に対応するヒンジ部３０の回転角度は、水平軸３１を中心に０°、垂直軸３２を中心に１８０°としてもよい。すなわち、テレビ機能においては、携帯端末１を閉じてもメイン表示部２３ａが見られる形状にして、メイン表示部２３ａにてテレビを視聴しながら、側面操作入力部１２ｂを用いて操作してもよい。ただし、垂直軸３２を中心にヒンジ部３０を回転させる場合、携帯端末１を一旦ある程度開く必要がある。上述したように変位制御部１５２はヒンジ部３０の回転角度を監視してもよく、変位させる時のヒンジ部３０の回転角度が９０°に満たないときは、まずヒンジ部３０の回転角度を水平軸３１を中心に９０°としたのちに、垂直軸３２を中心に１８０°として、さらに水平軸３１を中心に０°としてもよい。なお、垂直軸３２を中心とする回転方向は左方向、右方向どちらでもよい。
【００４１】
ここで、操作入力部１２が受け付けた操作入力に基づいてテレビ機能を選択して、アプリケーション制御部１５１が音声処理部１５５および映像処理部１５６等を制御してテレビ機能を動作させるとき、たとえばテレビの視聴を開始したとき、変位制御部１５２はデータベース部１１１からテレビ機能に対応するヒンジ部３０の回転角度を取得してもよい。さらに、変位制御部１５２は、取得したヒンジ部３０の回転角度に基づいてモータ駆動回路１８を制御し、モータ１８１を回転させてヒンジ部３０の回転角度が水平軸３１を中心に０°、垂直軸３２を中心に１８０°となるようにヒンジ部３０を回転させてもよい。
【００４２】
さらに、カメラ機能に対応するヒンジ部３０の回転角度は、水平軸３１を中心に０°、垂直軸３２を中心に１８０°としてもよい。すなわち、カメラ機能において、携帯端末１はテレビ機能の形状と同様にして、アウトカメラ１９にて撮影する画像をメイン表示部２３ａにて確認し、側面操作入力部１２ｂを用いて撮影してもよい。なお、垂直軸３２を中心とする回転方向は左方向、右方向どちらでもよい。
【００４３】
ここで、操作入力部１２が受け付けた操作入力に基づいてカメラ機能を選択して、アプリケーション制御部１５１が画像処理部１５７等を制御してカメラ機能を動作させるとき、たとえばアウトカメラ１９を起動したとき、変位制御部１５２はデータベース部１１１からカメラ機能に対応するヒンジ部３０の回転角度を取得してもよい。さらに、変位制御部１５２は、取得したヒンジ部３０の回転角度に基づいてモータ駆動回路１８を制御し、モータ１８１を回転させてヒンジ部３０の回転角度が水平軸３１を中心に０°、垂直軸３２を中心に１８０°となるようにヒンジ部３０を回転させてもよい。
【００４４】
以上、携帯端末１が有するアプリケーション機能それぞれについて、携帯端末１がどのような形状となるのか説明したが、これらは一例であり、ヒンジ部３０の回転角度は上記に限られるものではない。例えば、ユーザがアプリケーション機能の動作に対応するヒンジ部３０の回転角度をそれぞれ定めて、データベース部１１１に格納させてもよい。
【００４５】
なお、ヒンジ部３０の回転角度が減少する（携帯端末１が閉じる）方向にヒンジ部３０が回転して、ヒンジ部３０の回転角度が所定値に達したとき、変位制御部１５２はユーザに対してヒンジ部３０の回転角度が所定値を下回ることを許可するか否かを提示し、ユーザが許可したとき変位制御部１５２はヒンジ部３０をさらに回転させてもよい。ユーザが許可する操作は、表示部２３に表示した操作表示画面に従って操作入力部１２から入力してもよい。特に、変位制御部１５２がユーザに対してヒンジ部３０の回転角度が所定値を下回ることを許可するか否かを提示したとき、開閉スイッチ１２１を押下することで、ユーザが許可したものとしてもよい。
【００４６】
図６は、本実施形態の携帯端末１の制御方法を示すフローチャートである。第１筐体１０および第２筐体２０（複数の筐体）が可動に連結される携帯端末１の制御方法であって、ユーザの操作入力を受け付ける操作入力ステップ（ステップＳ１０１）と、操作入力に基づいて携帯端末１が有する複数のアプリケーション機能のうちいずれかを選択して、選択されたアプリケーション機能を動作させるアプリケーション制御ステップ（ステップＳ１０２）と、アプリケーション機能の動作に基づいて第１筐体１０および第２筐体２０（複数の筐体）の相対位置を変位させる第１変位制御ステップ（ステップＳ１０３）と、を備えることができる。
【００４７】
なお、第１筐体１０および第２筐体２０（複数の筐体）は、少なくとも一つの回転軸を中心に回動自在なヒンジ部３０を介して連結され、第１変位制御ステップ（ステップＳ１０３）は、回転軸を中心としてヒンジ部３０を回転させることによって第１筐体１０および第２筐体２０（複数の筐体）の相対位置を変位させてもよい。
【００４８】
また、ヒンジ部３０の回転角度が減少する（携帯端末１が閉じる）方向にヒンジ部３０が回転して、ヒンジ部３０の回転角度が所定値に達したとき、ユーザに対してヒンジ部３０の回転角度が所定値を下回ることを許可するか否かを提示するユーザ確認ステップ（ステップＳ１０４）と、ユーザが許可したとき（ステップＳ１０４のＹＥＳ）ヒンジ部３０をさらに回転させる第２変位制御ステップ（ステップＳ１０５）と、を備えてもよい。
【００４９】
ユーザ確認ステップにおいてユーザが許可しないとき（ステップＳ１０４のＮＯ）は、ユーザ確認ステップ（ステップＳ１０４）を繰り返し、ユーザが許可するまでヒンジ部３０を停止させてもよい。
【００５０】
本実施形態の携帯端末１を用いることによって、操作入力部１２にて受け付けたユーザの操作入力に基づいて携帯端末１が有するアプリケーション機能のうちいずれかを動作させるとともに、当該アプリケーション機能の動作に基づいて第１筐体１０および第２筐体２０の相対位置を変位させることができる。これによって、アプリケーション機能を動作する度にユーザが携帯端末を当該アプリケーションの動作に適した形状に変形させる手間を省くことができる。
【００５１】
また、携帯端末１は第１筐体１０および第２筐体２０の連結にヒンジ部３０を用い、ヒンジ部３０の回転角度を制御することによって第１筐体１０および第２筐体２０の相対位置を変位させるので、簡易な構成で実現することができる。
【００５２】
さらに、携帯端末１が備える記憶部１１はデータベース部１１１を含んでおり、当該データベース部１１１に格納するテーブルはユーザによって任意に生成可能なので、ユーザ自身が扱い易いように携帯端末１をカスタマイズすることもできる。
【００５３】
さらに、携帯端末１が閉じる方向にヒンジ部３０が回転して、ヒンジ部３０の回転角度が所定値を下回るときはユーザに許可されるまでヒンジ部３０の回転を停止するので、携帯端末１は第１筐体１０と第２筐体２０との間に物を挟み込むことを防止することもできる。
【００５４】
以上、図面を参照して本発明の実施形態について述べたが、これらは本発明の例示であり、上記以外の様々な構成を採用することもできる。
【００５５】
たとえば、上記実施形態においては、テレビの視聴を開始するときや、カメラを起動するとき等、アプリケーション機能を開始させるときについて説明した。しかし、アプリケーション機能を終了させるときについても、変位制御部１５２は第１筐体１０および第２筐体２０の相対位置を変位させてもよい。
【図面の簡単な説明】
【００５６】
【図１】本発明の実施の形態に係る携帯端末の構成図である。
【図２】本発明の実施の形態に係る携帯端末の正面図と背面図である。
【図３】本発明の実施の形態に係る携帯端末の斜視図である。
【図４】本発明の実施の形態に係る携帯端末に備えられるデータベース部に格納されるテーブルの一例である。
【図５】本発明の実施の形態に係る携帯端末と当該携帯端末に接続したキーボード装置との側面図である。
【図６】本発明の実施の形態に係る携帯端末の制御方法を示すフローチャートである。
【符号の説明】
【００５７】
１     携帯端末
２     キーボード装置
１０   第１筐体
１１   記憶部
１１１ データベース部
１２   操作入力部
１２ａ 正面操作入力部
１２ｂ 側面操作入力部
１２１ 開閉スイッチ
１３   コネクタ部
１４   マイク
１５   制御部
１５１ アプリケーション制御部
１５２ 変位制御部
１５３ 通話処理部
１５４ メール処理部
１５５ 音声処理部
１５６ 映像処理部
１５７ 画像処理部
１６   放送受信部
１６１ 放送受信アンテナ
１７   無線通信部
１７１ 無線通信アンテナ
１８   モータ駆動回路
１８１ モータ
１９   アウトカメラ
２０   第２筐体
２１   スピーカ
２２   レシーバ
２３   表示部
２３ａ メイン表示部
２３ｂ サブ表示部
２４   インカメラ
３０   ヒンジ部
３１   水平軸
３２   垂直軸
【図１】
2010093737.tif 000003
【図２】
2010093737.tif 000004
【図３】
2010093737.tif 000005
【図４】
2010093737.tif 000006
【図５】
2010093737.tif 000007
【図６】
2010093737.tif 000008